(57)【要約】【課題】  合わせ部に対する製作上の負担を軽減しながら、固着状態を回避できる。【解決手段】  プリプレグ２をマンドレル３に巻回するとともに、マンドレル３に巻回したプリプレグ５の上から、細幅のプリプレグテープ９を巻回して竿素材１０を形成する。竿素材１０に相手側竿体１の対応する面に圧接して圧接状態を保持する合わせ部を形成すべく、竿素材１０の合わせ部相当位置に複数の弾性材製の接触チップ材１１を配置する。接触チップ材１１を配置した竿素材１０に熱収縮テープ１２を巻回し、その巻回した熱収縮テープ１２を施した合わせ部に相手側竿体１の合わせ部に相当する型材１３を被着し、その型材１３を被着した状態で焼成する。【選択図】        図１
2006223184.tif 000002
【特許請求の範囲】
【請求項１】
竿体の竿端部に、相手側竿体の対応する面に圧接してその圧接状態を保持する合わせ部を形成するとともに、前記合わせ部の表面に複数の弾性材製の接触チップ材を表出する状態で設けている釣り竿用の竿体。
【請求項２】
竿先側竿体を竿尻側竿体に対して伸縮自在に装着するとともに、伸長状態、及び、短縮状態のいずれの状態であってもその状態を保持する伸縮式の振出竿用竿体であって、
前記竿先側竿体又は前記竿尻側竿体の竿端部に、相手側竿体の対応する面に圧接してその圧接状態を保持する合わせ部を形成するとともに、前記合わせ部の表面に複数の弾性材製の接触チップ材を表出する状態で設けている釣り竿用の竿体。
【請求項３】
プリプレグをマンドレルに巻回して竿素材を形成し、前記竿素材に相手側竿体の対応する面に圧接してその圧接状態を保持する合わせ部を形成すべく、その竿素材の合わせ部相当位置に複数の弾性材製の接触チップ材を配置するとともに、その接触チップ材を配置した竿素材に熱収縮性の成形テープを巻回し、その巻回した成形テープを施した合わせ部に、相手側竿体の合わせ部に相当する形状を有している型材を被着し、その型材を被着した状態で焼成する振出竿用竿体の製作方法。
【請求項４】
プリプレグをマンドレルに巻回するとともに、そのマンドレルに巻回したプリプレグの上から、細幅のプリプレグテープをマンドレルの略全長に亘って巻回して竿素材を形成し、前記竿素材に相手側竿体の対応する面に圧接してその圧接状態を保持する合わせ部を形成すべく、その竿素材の合わせ部相当位置に複数の弾性材製の接触チップ材を配置し、その接触チップ材を配置した竿素材に熱収縮性の成形テープを巻回し、その巻回した成形テープを施した合わせ部に相手側竿体の合わせ部に相当する型材を被着し、その型材を被着した状態で焼成する振出竿用竿体の製作方法。
【請求項５】
複数の弾性材製の接触チップ材を接着固定したプリプレグ製の補助パターンを竿体の竿先側端部に相当する位置に対応してマンドレルに巻回するとともに、その上からプリプレグ製のメインパターンを巻回して竿素材を形成し、前記竿素材に相手側竿体の竿尻側端部の外周面に圧接してその圧接状態を保持する合わせ部を形成し、その接触チップ材を配置した竿素材に熱収縮性の成形テープを巻回した状態で焼成する釣り竿用竿体の製作方法。
【請求項６】
請求項１〜５のいずれか一つに記載の竿体を備えた釣り竿。
【発明の詳細な説明】
【技術分野】
【０００１】
本発明は、竿先側竿体を竿尻側竿体内に収納する状態と、その収納状態から竿先側竿体を竿尻側竿体から引き出した伸長状態に切り替えるとともにその引き出した伸長状態を保持することが可能な振出竿で代表される釣り竿用竿体に関する。
【背景技術】
【０００２】
前記したように、竿先側竿体を竿尻側竿体に対して伸長状態に保持するのに、竿先側竿体の竿尻端部の外周面と竿尻側竿体の竿先端部の内周面とを圧接させて、両者の摩擦保持力を利用して伸長状態を保持する構成を採っている。
この場合に、竿尻端部の外周面と竿先端部の内周面とに互いに圧接状態となるように、研削または研磨加工された合わせ部が形成されている（特許文献１参照）。
【０００３】
【特許文献１】特開平５−３７３８号公報（段落番号〔０００８〕、図１）
【発明の開示】
【発明が解決しようとする課題】
【０００４】
上記したように、合わせ部で伸長状態を摩擦保持する為には、合わせ部に対して研磨加工等の手間を掛ける必要があり、製作上の負担が大であった。
一方、竿先側竿体の竿尻端部に形成された合わせ部と竿尻側竿体の竿先端部に形成された合わせ部との密着度が大であると、水を介在した状態で両合わせ部の密着状態が強固になる為に、収縮状態に戻すことに難儀する固着状態に至る場合もある。
【０００５】
本発明の目的は、そのような欠点を解消し、製作上の負担を軽減しながら、固着状態を回避できる釣り竿用竿体を提供する点にある。
【課題を解決するための手段】
【０００６】
〔構成〕
請求項１に係る発明の特徴構成は、竿体の竿端部に、相手側竿体の対応する面に圧接してその圧接状態を保持する合わせ部を形成するとともに、前記合わせ部の表面に複数の弾性材製の接触チップ材を表出する状態で設けている点にあり、その作用効果は次の通りである。
【０００７】
〔作用〕
前記した接触チップ材を施した竿体に対して相手側竿体を伸長又は短縮状態に切り換えた場合に、合わせ部に設けた接触チップ材が相手側竿体の合わせ部の表面に接触する。その接触チップ材は弾性材製であるので、相手側の合わせ部の表面に接触して弾性的に変形して、摩擦保持力を発揮する。これによって、伸長状態又は短縮状態が摩擦保持される。
【０００８】
〔効果〕
弾性材製の接触チップ材を設けてあるので、この接触チップ材の弾性変形力を利用した摩擦保持力を発揮させることができるので、相手側竿体の合わせ部との接触嵌合寸法に厳密な寸法精度を必要とせず、合わせ部に対する研削研磨加工は必要ではない。
しかも、接触チップ材は相手側の合わせ部に対して全面的に接触するものではなく、点接触する状態で接触するので、密着度が高くなり過ぎることはなく、固着現象も回避できる。
【０００９】
請求項２に係る発明の特徴構成は、竿先側竿体を竿尻側竿体に対して伸縮自在に装着するとともに、伸長状態、及び、短縮状態のいずれの状態であってもその状態を保持する伸縮式の振出竿用竿体であって、
前記竿先側竿体又は前記竿尻側竿体の竿端部に、相手側竿体の対応する面に圧接してその圧接状態を保持する合わせ部を形成するとともに、前記合わせ部の表面に複数の弾性材製の接触チップ材を表出する状態で設けている点にあり、その作用効果は次の通りである。
【００１０】
〔作用効果〕
請求項１に係る発明と同様の作用効果を奏する。竿先側竿体の竿尻端部に形成される合わせ部は、竿尻側竿体からその竿先側竿体を引き出した伸長状態においては、竿尻側竿体の竿先端部の内周面に圧接してその状態を維持するものであり、また、竿尻側竿体内に竿先側竿体を収納した短縮状態においては、竿尻側竿体の竿尻端部の内周面に圧接してその状態を維持するものである。したがって、竿先側竿体の竿尻端部に形成される合わせ部は、竿尻側竿体の竿先側端部と竿尻側端部とに形成した合わせ部に圧接する必要があり、合わせ部の径を管理するのが難しい面があるが、この合わせ部に接触チップ材を設けてあるので、径の管理が容易になる。
【００１１】
請求項３に係る発明の特徴構成は、プリプレグをマンドレルに巻回して竿素材を形成し、前記竿素材に相手側竿体の対応する面に圧接してその圧接状態を保持する合わせ部を形成すべく、その竿素材の合わせ部相当位置に複数の弾性材製の接触チップ材を配置するとともに、その接触チップ材を配置した竿素材に熱収縮性の成形テープを巻回し、その巻回した成形テープを施した合わせ部に、相手側竿体の合わせ部に相当する形状を有している型材を被着し、その型材を被着した状態で焼成する点にあり、その作用効果は次の通りである。
【００１２】
〔作用効果〕
合わせ部相当位置を成形テープで締め付けた状態で、従来は焼成処理していた。これに対して本願発明では、成形テープで接触チップ材を施した合わせ部を覆い、相手側竿体の合わせ部に相当する形状を呈する型材でその成形テープを施した合わせ部を覆い、その型材を被着した状態で焼成する方法を採用した。
このように型材を被覆した状態で焼成するので、接触チップ材の合わせ部表面からの突出量を適正な摩擦圧接力を発揮するだけのものに設定できて、合わせ部同士の密着状態を確保するための研削作業等を必要としないものになった。
【００１３】
請求項４に係る発明の特徴構成は、プリプレグをマンドレルに巻回するとともに、そのマンドレルに巻回したプリプレグの上から、細幅のプリプレグテープをマンドレルの略全長に亘って巻回して竿素材を形成し、前記竿素材に相手側竿体の対応する面に圧接してその圧接状態を保持する合わせ部を形成すべく、その竿素材の合わせ部相当位置に複数の弾性材製の接触チップ材を配置し、その接触チップ材を配置した竿素材に熱収縮性の成形テープを巻回し、その巻回した成形テープを施した合わせ部に相手側竿体の合わせ部に相当する型材を被着し、その型材を被着した状態で焼成する点にあり、その作用効果は次の通りである。
【００１４】
〔作用効果〕
請求項３に係る発明と異なる点は、プリプレグをマンドレルに巻回しその上から細幅のプリプレグテープを巻回し、そのプリプレグテープ上に接触チップ材を配置している点である。これによって、前記した型材によって弾性的に押し付け力を受ける接触チップ材の一部が焼成時にプリプレグテープ内に埋まり込み、接触チップ材の取付けが安定する。
このようにプリプレグテープを接触チップ材の取り付け対象として選定することによって、焼成することによってプリプレグテープの表面が軟化して接着機能を発揮して接触チップ材を取り付け固定できるものであり、特に、接着手段を必要としないものである。
【００１５】
請求項５に係る発明の特徴構成は、複数の弾性材製の接触チップ材を接着固定したプリプレグ製の補助パターンを竿体の竿先側端部に相当する位置に対応してマンドレルに巻回するとともに、その上からプリプレグ製のメインパターンを巻回して竿素材を形成し、前記竿素材に相手側竿体の竿尻側端部の外周面に圧接してその圧接状態を保持する合わせ部を形成し、その接触チップ材を配置した竿素材に熱収縮性の成形テープを巻回した状態で焼成する点にあり、その作用効果は次の通りである。
【００１６】
〔作用効果〕
この場合には、接触チップ材を設けた合わせ部を、竿体の竿先側端部の内周面に形成するために、接触チップ材を施したプリプレグ製の補助パターンをメインパターンに先行してマンドレルに巻回することにしてある。このことによって、請求項３に係る発明のように、接触チップ材の載置状態を維持し相手側竿体の合わせ部との合わせ寸法を維持するために導入された型材の機能をマンドレル自体が兼用することになるので、製作方法自体が簡単になる。
【００１７】
請求項６に係る発明の特徴構成は、請求項１〜５のいずれか一つに記載の竿体を備えた釣り竿を構成する点にあり、その作用効果は次の通りである。
【００１８】
〔作用効果〕
釣り竿として、製作工程の簡素化と固着現象を低減できるものを提供することができた。
【発明を実施するための最良の形態】
【００１９】
〔第1実施形態〕
振出竿Ａにおける一番竿から元竿までの竿体１の製作方法について説明する。
炭素繊維等の強化繊維を引き揃えたものに、エポキシ等の熱硬化性樹脂を含浸させて構成したプリプレグを所定形状に裁断して所定のメインパターンと補助パターンを形成する。
図１（イ）に示すように、定盤上に載置した強化繊維を軸線方向に直交する周方向に配置した第１メインパターン２を第１層としてマンドレル３に巻回する。この第１層に対して強化繊維の方向を軸線方向に設定した第２メインパターン４を第２層として巻回し、さらに、強化繊維を軸線方向に対して直交する周方向にした第３メインパターン５を第３層として巻回する。
【００２０】
図１（イ）に示すように、第３メインパターン５を巻回した状態で、竿先端側に第１補助パターン６、及び、竿尻端側に第２補助パターン７を巻回して、竿先端側と竿尻端側に大径膨出部を形成する。この竿尻端側の大径膨出部８を合わせ部と称する。
このように二つの補助パターン６，７を巻回した状態のものに、図１（ロ）に示すように、さらに、細幅に形成したプリプレグテープ９を竿の全長に亘って巻回し竿素材１０を構成する。
【００２１】
図１（ハ）に示すように、前記した竿素材１０の大径膨出部８に対してその表面に複数の弾性材製の接触チップ材１１を配置して設けてある。この弾性材製の接触チップ材１１としては、ゴム等の軟質材を使用することができるが、同等の弾性変形な材料であれば、合成樹脂を採用することもできる。
図１（ニ）に示すように、弾性材製の接触チップ材１１を施した竿素材１０に対して、ポリエステル等の熱収縮テープを成形用テープ１２として竿の全長に亘って巻回する。
【００２２】
次に、接触チップ材１１を施した合わせ部としての大径膨出部８に対する型材１３について説明する。図１（ニ）（ホ）に示すように、前記大径膨出部８を覆う型材１３は、前記大径膨出部８に嵌合する相手側竿体１の竿先側端部である玉口部分の形状を模したものであり、内外周面を竿尻側程大径となる円錐台状のものに形成してある。この型材１３の内周面に前記大径膨出部８に圧接嵌合する合わせ部に相当する構造を形成してある。
この型材としては、耐熱性に優れたＳＣＭ材、または、耐熱性塗料等を施したアルミ等を使用できる。
【００２３】
図示してはいないが、型材１３を装着した竿体１を型材１３が下方に位置する状態で吊り下げ支持して焼成炉内において焼成し、焼成後マンドレル３を脱芯し、成形テープ１２を剥がし、両端を切断して所定長さに裁断し、その裁断した竿体１に対して全長に亘って研磨加工を施して塗料の付着を良くする方法を採っている。
そして、従来の方法であれば、全長に亘って研磨加工を施した後に、合わせ部への研磨加工を施すのであるが、前記したように、合わせ部に接触チップ材１１を設けてあるので、合わせ部に対する研磨加工は省略できる。
【００２４】
前記したように、接触チップ材１１をプリプレグテープ９の上に載置して焼成するのに、型材１３によって押さえ力を受けている接触チップ材１１はプリプレグテープ９を構成する樹脂の軟化に伴って樹脂内に一部を埋没させて、安定した載置状態となる。
図２（イ）（ロ）に示すように、このようにして竿体１の大径膨出部８に固着された接触チップ材１１は相手側竿体１の玉口内周面に圧接して、両竿体１、１の伸長状態を保持することに寄与する。
【００２５】
〔第２実施形態〕
ここでは、竿体１の玉口における内周面に、相手側竿体１に圧接する合わせ部１４を形成し、この合わせ部１４に接触チップ材１１を施す形態について説明する。図３に示すように、マンドレル３に対して予め接着剤等で接触チップ材１１を固着した第３補助パターン１５を、複数層分のメインパターン２、４、５に先行してマンドレル３に巻回し、その上からメインパターンを複数層に亘って巻回し、さらに、補助パターン６，７、細幅プリプレグテープ等を適宜選択して巻回し、熱収縮テープを巻付けて焼成する。
【００２６】
焼成時に、接触チップ材１１はメインパターン２の軟化した樹脂部分内に入り込むことができるので、その竿体１への装着状態が安定する。
焼成後、マンドレル３を脱芯すると、図４（イ）に示すように、接触チップ材１１が玉口の内周面に設けられている状態となり、図４（ロ）に示すように、その接触チップ材１１が相手側竿体１（ここでは竿先側竿体）の竿尻端部の大径膨出部８に接触して嵌合保持状態を現出する。
【００２７】
上記第２実施形態では、接触チップ材１１を第３補助プリプレグ１５に接着してマンドレル３に巻回する構成を示したが、別の方法としては、マンドレル３の竿先端部分の外周面に多数の穴を形成し、その穴内に接触チップ材１１を載置する。以後は、通常の方法でプリプレグのメインパターン及び補助パターン、成形テープを巻回して焼成し、マンドレル３を脱芯することによって、接触チップ材１１を玉口内周面に施した竿体１を形成できる。このような製作方法を用いることによって、型材１３をマンドレル３で兼用できる効果がある。
ただし、脱芯する際に接触チップ材１１とマンドレル３との離間を促す為に、接触チップ材１１をマンドレル３の穴に載置する場合に離型剤を介して載置すればよい。
【００２８】
〔第３実施形態〕
竿体１として元竿１Ａ、相手側竿体として元上１Ｂを想定して、収縮状態においても元上１Ｂを元竿１Ａ内に保持できる合わせ部１９を備える伸縮式の振出竿について説明する。
図５に示すように、軸線方向に一定のテーパ状外周面を有するマンドレル３の竿尻端部位置に大径部１８Ａを形成するとともに、その大径部１８Ａの外周面に複数個の係合穴１８ａを形成し、この係合穴１８ａにまず接触チップ材１１を載置する。
【００２９】
次に、第３図と同様に、プリプレグを所定形状に裁断した第１メインパターン２、第２メインパターン４、第３メインパターン５を３層構造に巻回する（補助パターン１５は巻き付けない）。
図３に示すように、第３メインパターン５を巻回した状態で、竿先端側に第１補助パターン６、及び、竿尻端側に第２補助パターン７を巻回して、竿先端側と竿尻端側に大径膨出部を形成する。
図示していないが、前記大径膨出部を形成した竿素材に対して成形テープを巻回して、焼成して竿体１を形成する。
ここでは、図６に示すように、竿尻端側の内周面に接触チップ材１１が設けられているので、この部分を合わせ部１９と称する。
【００３０】
図６に示すように、上記のように構成された竿体１を元竿１Ａとして使用し、元上１Ｂの竿尻端に形成された大径膨出部１ｂを元竿１Ａの合わせ部１９内に挿入すると、その合わせ部１９に設けられている接触チップ材１１が大径膨出部１ｂに圧接して、元上１Ｂの収納状態を保持する。
【図面の簡単な説明】
【００３１】
【図１】竿体の竿尻端部の外周面に接触チップ材を設ける製作方法を示す斜視図
【図２】図１に示した方法で製作した竿体の竿尻端部を相手側竿体の玉口内面に圧接させた状態を示す縦断側面図
【図３】竿体の玉口の内周面に接触チップ材を設ける製作方法を示す斜視図
【図４】図３に示した方法で製作した竿体の玉口内周面を相手側竿体の竿尻端部外周面に圧接させた状態を示す縦断側面図
【図５】マンドレルの竿尻端部該当部分に接触チップ材を埋め込む状態を示す斜視図
【図６】元竿の竿尻端部の内周面に接触チップ材を埋め込み、元上を収縮状態に維持した状態を示す伸縮式竿体に適用した状態を示す縦断側面図
【符号の説明】
【００３２】
１                竿体
２、４、５        プリプレグ
３                マンドレル
８，１９    合わせ部
９                プリプレグテープ
１１              接触チップ材
１２              成形用テープ
１３              型材
１５              補助パターン
【図１】
2006223184.tif 000003
【図２】
2006223184.tif 000004
【図３】
2006223184.tif 000005
【図４】
2006223184.tif 000006
【図５】
2006223184.tif 000007
【図６】
2006223184.tif 000008